(57)【要約】【課題】看板の広告効果を向上させる。【解決手段】車両とサーバとを含む情報処理システムである。車両は、車両内部に向けて設置されている表示部と、車両の位置情報を取得する位置情報取得部と、車載装置と、を備える。サーバは、車両の位置情報を受信する通信部と、車両の位置情報と地図情報とから特定された、表示部が設置されている方向の車両を中心とした所定範囲内に存在する看板の掲示内容を含む広告データを、通信部を介して、車載装置へ送信することを実行する制御部と、を備える。また、車載装置は、車両の位置情報をサーバへ送信することと、サーバから広告データを受信することと、を実行する通信部と、広告データの表示部への表示処理を実行する制御部と、を備える。【選択図】図１
2020046454.tif 000002
【特許請求の範囲】
【請求項１】
車両内部に向けて設置されている表示部と、
前記車両の位置情報を取得する位置情報取得部と、
車載装置と、
を備える車両と、
前記車両の位置情報を受信する通信部と、
前記車両の位置情報と地図情報とから特定された、前記表示部が設置されている方向の前記車両を中心とした所定範囲内に存在する看板の掲示内容を含む広告データを、前記通信部を介して、前記車載装置へ送信することを実行する制御部と、
を備えるサーバと、を含み、
前記車載装置は、
前記車両の位置情報を前記サーバへ送信することと、前記サーバから前記広告データを受信することと、を実行する通信部と、
前記広告データの前記表示部への表示処理を実行する制御部と、
を備える、
情報処理システム。
【請求項２】
前記サーバの制御部は、所定の周期で、前記車両の位置情報と前記地図情報とから、前記表示部が設置されている方向の前記車両を中心とした前記所定範囲を求め、前記所定範囲内に存在する前記看板を特定することを実行する、
請求項１に記載の情報処理システム。
【請求項３】
前記車両は、前記車両内部に向けて設置されている複数の表示部を備え、
前記車載装置は、所定の近距離無線通信を行う第２の通信部をさらに備え、
前記車載装置の制御部は、前記第２の通信部によって、第１の看板の識別情報を含む前記所定の近距離無線通信の信号が受信された場合に、前記サーバへ前記第１の看板の識別情報を送信することを実行し、
前記サーバの制御部は、
前記車載装置から前記第１の看板の識別情報を受信した場合に、前記所定の範囲内として前記車載装置が前記近距離無線通信が可能な範囲内に存在する前記車両と前記第１の看板との位置関係を特定することと、
前記車両の複数の表示部のうち、前記第１の看板の掲示内容を含む広告データを表示させる第１の表示部を特定することと、
前記車載装置へ、前記第１の表示部の情報と前記第１の看板の掲示内容を含む広告データとを送信することと、
を実行する、
請求項１に記載の情報処理システム。
【請求項４】
車両内部に向けて表示部が設置されている車両の位置情報を、前記車両に備えられ、前記表示部への表示処理を実行する車載装置から受信する通信部と、
前記車両の位置情報と地図情報とから特定された、前記表示部が設置されている方向の前記車両を中心とした所定範囲内に存在する看板の掲示内容を含む広告データを、前記通信部を介して、前記車載装置へ送信することを実行する制御部と、
を備える情報処理装置。
【請求項５】
車両内部に向けて表示部が設置されている車両の位置情報を、前記車両に備えられ、前記表示部への表示処理を実行する車載装置から受信し、
前記車両の位置情報と地図情報とから特定された、前記表示部が設置されている方向の前記車両を中心とした所定範囲内に存在する看板の掲示内容を含む広告データを前記車載
装置へ送信する、
車両への広告情報配信方法。
【発明の詳細な説明】
【技術分野】
【０００１】
本発明は、車両へ広告情報を配信する情報処理システム、情報処理装置、及び、車両への広告情報配信方法に関する。
【背景技術】
【０００２】
看板に設けられた基地局側通信装置が当該看板に掲示された店舗の情報を発信し、車両に搭載された移動端末が基地局側通知装置から送信された情報を受信し、ディスプレイに表示する、情報提供システムが開示されている（例えば、特許文献１）。
【先行技術文献】
【特許文献】
【０００３】
【特許文献１】特開２００３−０６９５１２号公報
【発明の概要】
【発明が解決しようとする課題】
【０００４】
しかしながら、移動端末が受信する情報は看板に掲示された店舗に関する情報であって、看板に掲示されたそのものの情報ではなく、看板自体を移動端末のユーザが目にするか否かは定かではない。また、看板自体については、車両の移動速度によっては車窓から見えづらい場合もある。したがって、従来の技術では、看板自体の広告効果を向上させているとは言い難い。
【０００５】
開示の態様の一つは、看板の広告効果を向上可能な情報処理装置を提供することを課題とする。
【課題を解決するための手段】
【０００６】
本発明の態様の一つは、
車両内部に向けて設置されている表示部と、
前記車両の位置情報を取得する位置情報取得部と、
車載装置と、
を備える車両と、
前記車両の位置情報を受信する通信部と、
前記車両の位置情報と地図情報とから特定された、前記表示部が設置されている方向の前記車両を中心とした所定範囲内に存在する看板の掲示内容を含む広告データを、前記通信部を介して、前記車載装置へ送信することを実行する制御部と、
を備えるサーバと、を含み、
前記車載装置は、
前記車両の位置情報を前記サーバに送信することと、前記サーバから前記広告データを受信することと、を実行する通信部と、
前記広告データの前記表示部への表示処理を実行する制御部と、
を備える、
情報処理システムである。
【０００７】
また、本発明の他の態様の一つは、
車両内部に向けて表示部が設置されている車両の位置情報を、前記車両に備えられ、前記表示部への表示処理を実行する車載装置から受信する通信部と、
前記車両の位置情報と地図情報とから特定された、前記表示部が設置されている方向の前記車両を中心とした所定範囲内に存在する看板の掲示内容を含む広告データを、前記通
信部を介して、前記車載装置へ送信することを実行する制御部と、
を備える情報処理装置である。
【０００８】
また、本発明の他の態様の一つは、
車両内部に向けて表示部が設置されている車両の位置情報を、前記車両に備えられ、前記表示部への表示処理を実行する車載装置から受信し、
前記車両の位置情報と地図情報とから特定された、前記表示部が設置されている方向の前記車両を中心とした所定範囲内に存在する看板の掲示内容を含む広告データを前記車載装置へ送信する、
車両への広告情報配信方法である。
【発明の効果】
【０００９】
本発明によれば、看板の広告効果を向上させることができる。
【図面の簡単な説明】
【００１０】
【図１】図１は、第１実施形態に係る車両への広告配信システムのシステム構成の一例を示す図である。
【図２】図２は、センタサーバのハードウェア構成の一例を示す図である。
【図３】図３は、第１実施形態に係るセンタサーバの機能構成の一例を示す図である。
【図４】図４は、看板情報ＤＢに格納されているデータの一例を示す図である。
【図５】図５は、車両情報ＤＢに格納されるデータの一例を示す図である。
【図６】図６は、車両のハードウェア構成の一例を示す図である。
【図７】図７は、第１実施形態に係るデータ通信装置の機能構成の一例を示す図である。
【図８】図８は、第１実施形態に係るセンタサーバの車両への看板情報の配信処理のフローチャートの一例である。
【図９】図９は、車両への広告配信システムにおいて車両の走行に伴う看板情報の配信の一例を示す図である。
【図１０】図１０は、第２実施形態に係る車両への広告配信システムのシステム構成の一例を示す図である。
【図１１】図１１は、第２実施形態に係るセンタサーバの車両への看板情報の配信処理のフローチャートの一例である。
【発明を実施するための形態】
【００１１】
本発明の態様の一つは、車両と、サーバとを備える情報処理システムである。車両は、車両内部に向けて設置されている表示部と、車両の位置情報を取得する位置情報取得部と、車載装置と、を備える。サーバは、車両の位置情報を受信する通信部と、車両の位置情報と地図情報とから特定された、表示部が設置されている方向の車両を中心とした所定範囲内に存在する看板の掲示内容を含む広告データを、通信部を介して、車載装置へ送信することを実行する制御部と、を備える。車載装置は、車両の位置情報をサーバへ送信することと、サーバから広告データを受信することと、を実行する通信部と、広告データの表示部への表示処理を実行する制御部と、を備える。
【００１２】
本発明の態様の一つによれば、車両内の表示部の方向に存在する看板の掲示内容が当該表示に表示されるので、例えば、当該表示部が車窓自体又は車窓付近に設置されており、当該看板を車窓から視認しづらい場合でも、当該車両の乗員が当該看板の掲示内容を視認する可能性が高まり、当該看板の広告効果を向上させることができる。
【００１３】
本発明の態様の一つでは、サーバの制御部は、所定の周期で、車両の位置情報と地図情
報とから、表示部が設置されている方向の車両を中心とした所定範囲を求め、所定範囲内に存在する看板を特定することを実行するようにしてもよい。例えば、車両の走行によって、表示部が設置されている方向の車両を中心とした所定範囲が変化し、これにともなって、所定範囲内に存在する看板も変化し、表示部に表示される広告データも変化する。これによって、表示部に表示される広告データに対する車両の乗員の興味を引くことができる。
【００１４】
本発明の態様の一つでは、車両は、車両内部に向けて設置されている複数の表示部を備えるようにしてもよい。また、車載装置は、所定の近距離無線通信を行う第２の通信部をさらに備えるようにしてもよい。このとき、車載装置の制御部は、第２の通信部によって、第１の看板の識別情報を含む所定の近距離無線通信の信号が受信された場合に、サーバへ第１の看板の識別情報を送信することを実行してもよい。サーバの制御部は、車載装置から第１の看板の識別情報を受信した場合に、所定の範囲内として車載装置が近距離無線通信が可能な範囲内に存在する車両と第１の看板との位置関係を特定することと、車両の複数の表示部のうち、第１の看板の掲示内容を含む広告データを表示させる第１の表示部を特定することと、車載装置へ、第１の表示部の情報と第１の看板の掲示内容を含む広告データとを送信することと、を実行するようにしてもよい。
【００１５】
例えば、車両の走行によって、車載装置の第２の通信部が識別情報を含む信号を受信する第１の看板も変化し、車両の表示部に表示される広告データも変化する。これによって、これによって、表示部に表示される広告データに対する車両の乗員の興味を引くことができる。
【００１６】
以下、図面に基づいて、本発明の実施の形態を説明する。以下の実施形態の構成は例示であり、本発明は実施形態の構成に限定されない。
【００１７】
＜第１実施形態＞
図１は、第１実施形態に係る車両への広告配信システム１００のシステム構成の一例を示す図である。車両への広告配信システム１００は、例えば、車窓からの視界に含まれる看板のうちのいずれかの広告データを車両に配信し、当該車窓付近に設置されているディスプレイに当該広告データを表示させるサービスを提供するシステムである。
【００１８】
車両への広告配信システム１００は、例えば、センタサーバ１、複数の車両２、複数の看板５０を含む。図１では、説明の簡略化のため、１台の車両２と、１つの看板とが抽出されて示されている。車両２、看板５０は、それぞれ、例えば、車両への広告配信システム１００のサービスに登録しているユーザが所有する車両、看板である。看板５０は、例えば、立て看板、建物の屋上等に設置された看板、電柱に設置された看板等のあらゆる種類の看板を含む。また、看板５０は、アナログの看板であってもよいし、デジタルサイネージであってもよい。
【００１９】
車両２には、例えば、左右の側面の各車窓について、内部空間に向けてディスプレイが設置されている。当該ディスプレイは、例えば、液晶画面を有する単体の表示装置であってもよいし、透明有機ＥＬ等を組み込んだ車窓自体であってもよい。
【００２０】
車両２は、データ通信装置３を搭載している。データ通信装置３は、例えば、ＬＴＥ（Long Term Evolution）、ＬＴＥ−Ａｄｖａｎｃｅｄ等の移動体通信網、又は、ＷｉＦｉ
等の無線通信網に接続し、センタサーバ１との通信機能を備える装置である。また、データ通信装置３は、車両２内に設置された各ディスプレイと接続し、当該ディスプレイの表示制御を行う。
【００２１】
第１実施形態では、データ通信装置３は、所定の周期でセンタサーバ１へ、車両２内に設置されたディスプレイに表示させる看板のコンテンツデータを要求する看板情報取得要求を送信する。看板情報取得要求とともに、車両２の識別情報、位置情報、進行方向とがセンタサーバ１へ送信される。センタサーバ１は、看板情報取得要求を受信すると、車両２の位置情報と進行方向とに基づいて、車両２の左右の側面の各車窓からの視界の範囲を特定し、当該範囲内に存在する看板５０を特定する。各車窓の視界の範囲は、乗員の視界の地理的範囲を示す。車窓の視界の範囲内に存在する看板５０には、実際に乗員が車窓から見えるものに限定されず、例えば、建物によって乗員から見えない看板でも当該乗員の車窓からの視界の地理的範囲に含まれる看板５０も含まれる。車窓からの視界の範囲は、「表示部が設置されている方向の前記車両を中心とした所定範囲」の一例である。
【００２２】
センタサーバ１は、特定した看板５０の掲示内容に相当するコンテンツデータをデータ通信装置３へ送信する。コンテンツデータは、例えば、看板５０の画像データ、動画データ、画像データと音声データ、又は、動画データと音声データのいずれかである。コンテンツデータとともに、当該コンテンツデータが表示されるディスプレイを指定する情報も送信される。看板５０のコンテンツデータは、「広告データ」の一例である。
【００２３】
データ通信装置３は、受信した看板５０のコンテンツデータを指定された車窓のディスプレイに表示する。これによって、車両２内の乗員に車窓からの視界内に存在する看板をより視認しやすくすることができ、看板５０の広告効果を向上させることができる。
【００２４】
図２は、センタサーバ１のハードウェア構成の一例を示す図である。センタサーバ１は、例えば、専用のコンピュータ、汎用のコンピュータである。センタサーバ１は、ハードウェア構成として、ＣＰＵ（Central Processing Unit）１０１、メモリ１０２、インタ
フェースＩＦ１、外部記憶装置１０４、通信部１０５を有する。メモリ１０２および外部記憶装置１０４は、コンピュータで読み取り可能な記録媒体である。センタサーバ１は、「サーバ」、「情報処理装置」の一例である。
【００２５】
インタフェースＩＦ１は、ＣＰＵ  １０１と、外部記憶装置１０４及び通信部１０５とを接続する。外部記憶装置１０４は、様々なプログラムや、各プログラムの実行に際してＣＰＵ  １０１が使用するデータを格納する。外部記憶装置１０４は、例えば、ＥＰＲＯＭ（Erasable Programmable ROM）やハードディスクドライブ（Hard Disc Drive）である。外部記憶装置１０４に保持されるプログラムには、例えば、オペレーティングシステム（ＯＳ）、広告配信制御プログラム、その他様々なアプリケーションプログラムを保持する。広告配信制御プログラムは、車両２の車窓から所定の範囲内に含まれる看板のコンテンツデータを車両２に搭載されているデータ通信装置３への配信の制御を行うためのプログラムである。広告配信制御プログラムは、「情報処理プログラム」の一例である。
【００２６】
メモリ１０２は、ＣＰＵ  １０１に、外部記憶装置１０４に格納されているプログラムをロードする記憶領域および作業領域を提供したり、バッファとして用いられたりする記憶装置である。メモリ１０２は、例えば、ＲＯＭ（Read Only Memory）、ＲＡＭ（Random
Access Memory）のような半導体メモリを含む。
【００２７】
ＣＰＵ  １０１は、外部記憶装置１０４に保持されたＯＳや様々なアプリケーションプログラムをメモリ１０２にロードして実行することによって、様々な処理を実行する。ＣＰＵ  １０１は、１つに限られず、複数備えられてもよい。ＣＰＵ  １０１は、「サーバ」又は「情報処理装置」の「制御部」の一例である。
【００２８】
通信部１０５は、ネットワークとの情報の入出力を行うインタフェースである。通信部１０５は、有線のネットワークと接続するインタフェースであってもよいし、無線のネッ
トワークと接続するインタフェースであってもよい。通信部１０５は、例えば、ＮＩＣ（Network Interface Card）や無線回路等である。通信部１０５は、「サーバ」又は「情報処理装置」の「通信部」の一例である。
【００２９】
なお、図２に示されるセンタサーバ１のハードウェア構成は、一例であり、上記に限られず、実施の形態に応じて適宜構成要素の省略や置換、追加が可能である。例えば、センタサーバ１は、可搬記録媒体駆動装置を備え、可搬記録媒体に記録されたプログラムを実行してもよい。可搬記録媒体は、例えば、ＳＤカード、ｍｉｎｉＳＤカード、ｍｉｃｒｏＳＤカード、ＵＳＢ（Universal Serial Bus）フラッシュメモリ、ＣＤ（Compact Disc）、ＤＶＤ(Digital Versatile Disc)、Ｂｌｕ−ｒａｙ（登録商標）  Ｄｉｓｃ、又はフラッシュメモリカードのような記録媒体である。また、例えば、センタサーバ１は、入力装置及び出力装置を備えてもよい。入力装置は、例えば、キーボード、マウス、タッチパネル等である。出力装置は、例えば、ディスプレイ等である。
【００３０】
なお、センタサーバ１で実行される一連の処理は、プロセッサ１０１によるソフトウェアの実行によって達成させることに限定されず、例えば、ＦＰＧＡ（Field-Programmable
Gate Array）等のハードウェアによって達成させることもできる。
【００３１】
図３は、第１実施形態に係るセンタサーバ１の機能構成の一例を示す図である。センタサーバ１は、機能構成要素として、送受信部１１、看板特定部１２、地図情報データベース（ＤＢ）１４、看板情報ＤＢ  １５、車両情報ＤＢ  １６を備える。これらの機能構成要素は、センタサーバ１のＣＰＵ  １０１が広告配信制御プログラムを実行することによって達成される機能構成要素である。
【００３２】
送受信部１１は、データ通信装置３とのインタフェースであり、データ通信装置３とデータ送受信を行う。第１実施形態では、送受信部１１は、例えば、データ通信装置３から看板情報取得要求を受信する。データ通信装置３から受信された看板情報取得要求は、看板特定部１２へ出力される。また、送受信部１３は、例えば、看板特定部１２から看板情報の入力を受けて、データ通信装置３へ看板情報を送信する。
【００３３】
看板特定部１２は、送受信部１１から、データ通信装置３からの看板情報取得要求の入力を受ける。看板情報取得要求とともに、例えば、データ通信装置３が搭載される車両２の識別情報、位置情報、進行方向も受信される。
【００３４】
看板特定部１２は、後述の車両情報ＤＢから車両２の識別情報に合致する車両情報を取得する。車両２の車両情報には、例えば、車両２の各車窓の識別情報、位置等が含まれる。看板特定部１２は、車両２の位置情報と後述の地図情報ＤＢ  １４から、車両２の各車窓について、視界の範囲を特定する。
【００３５】
車窓の視界の範囲は、例えば、以下の通りに求められる。まず、看板特定部１２は、地図情報ＤＢ  １４と車両２の位置情報及び進行方向とから、地図上の車両２の位置と向きとを特定する。次に、看板特定部１２は、車両２の進行方向に直交し、且つ、車窓が存在する方向を、当該車窓の視界の方向として特定する。看板特定部１２は、地図上で、車両２の位置を中心に、車窓の視界の方向に向く、所定の中心角と所定の半径とを有する扇型の範囲を車窓の視界の範囲として特定する。車窓の視界の範囲を形成する扇形の中心角は、例えば、座席に座った際の人間の目線と車窓との距離及び車窓の幅とから予め決定されてもよい。車窓の視界の範囲を形成する扇形の半径は、例えば、車両への広告配信システム１００の管理者によって予め設定されてもよいし、車両２の現在位置の地域の特性に応じて地域ごとに設定されていてもよい。なお、車窓の視界の範囲の特定方法は、これに限定されず、周知の特定方法のいずれが用いられてもよい。
【００３６】
看板特定部１２は、車両２の各車窓について、視界の範囲内に存在する看板５０を特定する。例えば、地図情報ＤＢ  １４に格納される地図上に、各看板５０の位置がプロットされており、看板特定部１２は、地図上で、車窓の視界の範囲内にプロットされている看板５０の識別情報を取得する。
【００３７】
看板特定部１２は、特定した各車窓の視界の範囲内に存在する看板５０のコンテンツデータを、後述の看板情報ＤＢ  １５から取得し、各車窓の識別情報と取得した看板５０のコンテンツデータとを対応付け、送受信部１１へ出力する。各車窓の識別情報と取得した看板５０のコンテンツデータとの対応付けは、看板情報取得要求の応答として、送受信部１１から看板情報取得要求の送信元のデータ通信装置３へ送信される。なお、看板特定部１２は、各車窓について、ディスプレイにコンテンツデータを表示させる看板５０を決定してもよいし、例えば、車両２の同じ側面に設置されている複数の車窓についてはまとめて処理を行ってもよい。
【００３８】
地図情報ＤＢ  １４、看板情報ＤＢ  １５、車両情報ＤＢ  １６は、例えば、センタサーバ１の外部記憶装置１０４内に作成される。地図情報ＤＢ  １４は、地図情報を格納する。地図情報には、例えば、看板５０の位置がプロットされており、各プロットには看板５０の識別情報が対応付けられている。
【００３９】
図４は、看板情報ＤＢ  １５に格納されているデータの一例を示す図である。看板情報ＤＢ  １５には、車両への広告配信システム１００のサービスに登録されている看板５０に関する看板情報が格納されている。例えば、看板情報ＤＢ  １５には、各看板５０の看板情報として、各看板５０について、看板ＩＤ、位置、方向、コンテンツのフィールドが含まれる。看板ＩＤのフィールドには、看板５０の識別情報が格納される。看板５０の識別情報は、例えば、車両への広告配信システム１００の管理者によって付与される、車両への広告配信システム１００において看板５０を一意に特定するための情報である。
【００４０】
位置のフィールドには、看板５０が設置されている位置の位置情報が格納される。看板５０の位置情報は、例えば、緯度及び経度、住所のいずれであってもよい。方向フィールドには、看板５０が向いている方向が格納される。コンテンツのフィールドには、例えば、看板５０に掲示されている画像、動画、音声のファイルのセンタサーバ１内の格納位置が格納されている。
【００４１】
看板ＩＤ、位置、方向、コンテンツのそれぞれのフィールドの値は、予め、車両への広告配信システム１００の管理者によって登録される。なお、看板情報ＤＢ  １５に格納される情報は図４に示される情報に限定されない。
【００４２】
図５は、車両情報ＤＢ  １６に格納されるデータの一例を示す図である。車両情報ＤＢ
１６は、車両への広告配信システム１００のサービスに登録されている車両２に関する車両情報を格納する。車両情報ＤＢ  １６は、例えば、各車両２の車両情報として、各車両２について、車両ＩＤ、ユーザＩＤ、車窓ＩＤ、位置、ディスプレイのフィールドを含む。
【００４３】
車両ＩＤのフィールドには、車両２の識別情報が格納される。車両２の識別情報は、例えば、車両への広告配信システム１００の管理者によって付与された識別情報、車両２の車両識別番号、等のいずれかである。ユーザＩＤのフィールドには、車両２を登録したユーザの識別情報が格納される。ユーザの識別情報は、例えば、車両への広告配信システム１００の管理者によって付与された識別情報、ユーザ自身が付与した識別情報のいずれかである。
【００４４】
車窓ＩＤ、位置、ディスプレイのフィールドは、車両２に備えられる左右側面に設置される車窓の数だけ含まれる。車窓ＩＤのフィールドには、車窓の識別情報が格納される。車窓の識別情報は、車両２内で車窓を一意に特定できればよく、車両２間では重複していてもよい。車窓の識別情報は、例えば、車両への広告配信システム１００の管理者によって付与され、車両２に搭載されるデータ通信装置３との間で共有される。
【００４５】
位置のフィールドには、車窓の設置位置が格納される。例えば、位置のフィールドには、車両２の左右と前方からの順番との組み合わせで、右１、右２、．．．、左１等の値が格納される。ディスプレイのフィールドには、車窓自体がディスプレイであるか又は車窓付近にディスプレイが設置されているかを示す情報が格納される。例えば、ディスプレイのフィールドには、「あり」、「なし」のいずれかが格納される。
【００４６】
車両情報ＤＢ  １６に格納される情報は、例えば、車両２のユーザの申告に従って車両への広告配信システム１００の管理者によって入力されるか、車両２のユーザのユーザ端末から受信されて入力される。なお、車両情報ＤＢ  １６に格納される情報は図５に示される情報に限定されない。
【００４７】
図６は、車両２のハードウェア構成の一例を示す図である。車両２は、ハードウェア構成として、データ通信装置３と、複数のディスプレイ２０５、スピーカ、ＧＰＳ受信部２０７を備える。ただし、図６では、車両への広告配信システム１００のサービスを享受することに係る構成が抽出して表示されており、車両２が備えるハードウェア構成要素は、図６に示されるものに限定されない。車両２は、「車両」の一例である。
【００４８】
データ通信装置３は、ＣＰＵ  ３０１と、メモリ３０２と、インタフェースＩＦ３を有する。インタフェースＩＦ３には、外部記憶装置３０３、通信部３０４、近距離無線通信部３０５、各ディスプレイ２０５、スピーカ２０６、ＧＰＳ受信部２０７が接続される。データ通信装置３は、「車載装置」の一例である。
【００４９】
通信部３０４は、例えば、携帯電話基地局および携帯電話基地局に接続される公衆通信回線網を通じて、ネットワーク上の各種サーバ等と通信するための通信部である。通信部３０４は、例えば、ＬＴＥ、ＬＴＥ−Ａｄｖａｎｃｅｄ等の所定の無線通信規格に従った無線信号及び無線通信方式で無線通信を行う。通信部３０４は、「車載装置」の「通信部」の一例である。
【００５０】
近距離無線通信部３０５は、例えば、ＢＬＵＥＴＯＯＴＨ（登録商標）、ＢＬＥ（Bluetooth Low Energy）、ＷｉＦｉ  Ｄｉｒｅｃｔ等の所定の近距離無線通信規格に従った無線信号及び無線通信方式で無線通信を行う。近距離無線通信部３０５は、「第２の通信部」の一例である。
【００５１】
ディスプレイ２０５は、各車窓自体又は車窓付近に備えられている。ディスプレイ２０５は、例えば、車両２内の前後左右の各車窓に備えられている。図６では、車両２内の前後左右の各車両に備えられているディスプレイ２０５−１、２０５−２、．．．が表示されているが、特に区別しない場合には、ディスプレイ２０５と表記される。ディスプレイ２０５は、「表示部」の一例である。
【００５２】
Global Positioning System（ＧＰＳ）受信部２０７は、地球の周囲を周回する複数の
人工衛星（Global Positioning Satellite）から時刻信号の電波を受信し、当該時刻信号から位置情報を取得する。スピーカ２０６は、音および音声を含む音響を再生及び出力する。ＧＰＳ受信部２０７は、「位置情報取得部」の一例である。
【００５３】
データ通信装置３のＣＰＵ  ３０１、メモリ３０２、外部記憶装置３０３は、センタサーバ１のＣＰＵ  １０１、メモリ１０２、外部記憶装置１０４と同様である。すなわち、ＣＰＵ  ３０１は、メモリ３０２に実行可能に展開されたコンピュータプログラムを実行し、データ通信装置３としての処理を実行する。メモリ３０２は、ＣＰＵ  ３０１によって実行されるコンピュータプログラム、ＣＰＵ  ３０１によって処理されるデータ等を格納する。外部記憶装置３０３は、不揮発性の記憶装置であり、例えば、Solid State Drive（ＳＳＤ）、ハードディスクドライブ等である。外部記憶装置３０３には、例えば、車
両への広告配信システム１００のサービスを享受するためのクライアントアプリケーションが格納されている。データ通信装置３のＣＰＵ  ３０１は、「車載装置」の「制御部」の一例である。
【００５４】
データ通信装置３は、各ディスプレイ２０５に画像、文字その他の情報を表示させる。図６では、インタフェースＩＦ３が例示されているが、データ通信装置３と周辺のハードウェア構成要素との間の信号の授受がインタフェースＩＦ３に限定される訳ではない。すなわち、データ通信装置３は、インタフェースＩＦ３以外の複数の信号授受経路を有してもよい。また、図６では、データ通信装置３は、単一のＣＰＵ  ３０１を有している。ただし、ＣＰＵは、単一のプロセッサに限定される訳ではなく、マルチプロセッサ構成であってもよい。また、単一のソケットで接続される単一のＣＰＵがマルチコア構成を有していても良い。上記各部の少なくとも一部の処理は、ＣＰＵ以外のプロセッサ、例えば、Digital Signal Processor（ＤＳＰ）、Graphics Processing Unit（ＧＰＵ）等の専用プロセッサで行われても良い。また、上記各部の少なくとも一部の処理は、集積回路（ＩＣ）、その他のディジタル回路であっても良い。また、上記各部の少なくとも一部にアナログ回路が含まれても良い。
【００５５】
なお、第１実施形態では、車両２は、手動運転により走行する車両が想定されているが、これに限られず、自動運転による走行する車両であってもよい。車両２が自動運転により走行する車両であり、車両の前後左右のそれぞれの側面にディスプレイが設置されている場合には、各側面のディスプレイについて、コンテンツデータが表示される看板５０が特定されるようにしてもよい。
【００５６】
図７は、第１実施形態に係るデータ通信装置３の機能構成の一例を示す図である。データ通信装置３は、機能構成要素として、位置情報取得部３１、看板表示制御部３２、送受信部３３を備える。これらの機能構成要素は、例えば、データ通信装置３のＣＰＵ  ３０１が、車両への広告配信システム１００のサービスを享受するためのクライアントアプリケーションを実行することによって達成される。
【００５７】
送受信部３３は、センタサーバ１とのインタフェースであって、センタサーバ１とデータの送受信を行う。第１実施形態では、送受信部３３は、看板表示制御部３２から入力される看板情報取得要求をセンタサーバ１へ送信する。看板情報取得要求とともに、センタサーバ１へは、例えば、車両２の識別情報、位置情報、進行方向も送信される。また、送受信部３３は、センタサーバ１から、看板情報取得要求に対する応答として、車窓の識別情報と看板５０のコンテンツデータとの対応付けを受信し、看板表示制御部３２へ出力する。なお、センタサーバ１から受信される車窓の識別情報と看板５０のコンテンツデータとの対応付けは、１又は複数である。
【００５８】
位置情報取得部３１は、例えば、ＧＰＳ受信部２０７によって取得される車両２の位置情報を、所定の周期で取得し、メモリ３０２に格納する。車両２の位置情報は、例えば、緯度及び経度、住所等のいずれであってもよい。
【００５９】
看板表示制御部３２は、車両２の走行中、所定の周期で、看板情報取得要求を生成する。看板表示制御部３２の看板情報取得要求の生成周期は、例えば、１０秒〜１分の間で、車両への広告配信システム１００の管理者、車両２を車両への広告配信システム１００のサービスに登録するユーザによって任意に設定される。
【００６０】
具体的には、以下の通りである。看板表示制御部３２は、看板情報取得要求の生成のタイミングになると、位置情報取得部３１から車両２の位置情報を取得する。このとき取得される位置情報は、最新の位置情報と最新の位置情報から所定数前まで又は所定時間前までの複数の位置情報が取得される。看板表示制御部３２は、取得した複数の位置情報から車両２の進行方向を取得する。看板表示制御部３２は、看板情報取得要求と、車両２の識別情報、位置情報、進行方向を送受信部３３に出力し、センタサーバ１へ送信する。
【００６１】
また、看板表示制御部３２は、送受信部３３から、センタサーバ１から受信された車窓の識別情報と看板５０のコンテンツデータとの入力を受ける。看板表示制御部３２は、入力された車窓の識別情報から、入力された看板５０のコンテンツデータを表示させるディスプレイ２０５を特定し、特定したディスプレイ２０５に、入力された看板５０のコンテンツデータを表示させる。入力された看板５０のコンテンツデータを表示させるディスプレイ２０５は、入力された車窓の識別情報に該当する車窓自体又は当該車窓付近に設置されたディスプレイである。なお、車両２の識別情報、各車窓の識別情報とディスプレイ２０５との対応付けとは、例えば、外部記憶装置３０３の所定の記憶領域に予め格納されている。
【００６２】
＜処理の流れ＞
図８は、第１実施形態に係るセンタサーバ１の車両への看板情報の配信処理のフローチャートの一例である。図８に示される処理は、例えば、所定の周期で繰り返し実行される。図８に示される処理の実行主体は、センタサーバ１のＣＰＵ  １０１であるが、便宜上、機能構成要素を主体として説明される。
【００６３】
ＯＰ１０１では、看板特定部１２は、データ通信装置３から看板情報取得要求が受信されたか否かを判定する。データ通信装置３から看板情報取得要求が受信された場合には（ＯＰ１０１：ＹＥＳ）、処理がＯＰ１０２に進む。データ通信装置３から看板情報取得要求が受信されていない場合には（ＯＰ１０１：ＮＯ）、図８に示される処理が終了する。以下、図８において、データ通信装置３と称する場合には、看板情報取得要求の送信元であるデータ通信装置３を指し示すこととする。また、以下、図８において、車両２と称する場合には、看板情報取得要求の送信元のデータ通信装置３を搭載する車両２を指し示すこととする。
【００６４】
ＯＰ１０２では、看板特定部１２は、看板情報取得要求とともに受信された車両２の位置情報と進行方向に基づいて、地図情報ＤＢ  １４から、車両２に設置されている左右の側面の各車窓について、視界の範囲を特定する。なお、ＯＰ１０２以降で処理対象となる車窓は、車窓自体又は車窓の周辺にディスプレイが設置されている車窓に限定される。車両２に設置されている左右側面の車窓の情報は、例えば、看板情報取得要求とともに受信された車両２の識別情報に基づいて、車両情報ＤＢ  １６から取得される。
【００６５】
ＯＰ１０３では、看板特定部１２は、各車窓について、地図情報ＤＢ  １４から、視界の範囲に存在する看板５０を特定し、車両２へコンテンツデータを配信する看板５０を決定する。車両２へコンテンツデータが配信される看板５０は、１つに限定されず、複数であってもよい。車両２へコンテンツデータが配信される看板５０は、例えば、出資額に応じて決定される優先度、車両２からの距離が遠い順又は近い順等に基づいて決定される。なお、車窓の視界の範囲に看板５０が存在していない場合には、看板情報取得要求の応答
として、表示するコンテンツデータがない旨の通知が送信される。なお、車両２へコンテンツデータを配信する看板５０の選択対象から、車両２の方を向いていない看板を除外してもよい。
【００６６】
ＯＰ１０４では、看板特定部１２は、ＯＰ１０３において車両２へコンテンツデータを配信することを決定した看板５０のコンテンツデータを看板情報ＤＢ  １５から取得する。ＯＰ１０５では、看板特定部１２は、取得した看板５０のコンテンツデータと車窓の識別情報との対応付けを車両２へ送信する。その後、図８に示される処理が終了する。
【００６７】
＜第１実施形態の作用効果＞
第１実施形態によれば、車窓の向こう側に存在する看板のコンテンツデータが当該車窓又は当該車窓付近に設置されたディスプレイに表示されるので、車両２の走行によって車両２の乗員から見えづらい看板がでも、より視認されやすくなり、看板の広告効果を向上させることができる。また、車両２の乗員は車窓側を向くことが多く、乗員の視線の方向に看板５０のコンテンツデータが表示されるので、乗員の視線を自然に誘導することができる。
【００６８】
図９は、車両への広告配信システム１００において車両２の走行に伴う看板情報の配信の一例を示す図である。図９中の位置Ｐ１において、車両２の左側の車窓の視界の範囲内には看板Ａが存在しており、右側の車窓の視界の範囲内には看板Ｂが存在している。そのため、位置Ｐ１の通過時に車両２のデータ通信装置３がセンタサーバ１へ看板情報取得要求を送信した場合、車両２の左側の車窓に対応するディスプレイには看板Ａのコンテンツデータが表示され、右側の車窓に対応するディスプレイには看板Ｂのコンテンツデータが表示される。このように、同じ車両２内でも車窓の向きによって表示される看板のコンテンツデータが異なり、車両２の乗員の車両２内で過ごす時間をエンターテイメント性のあるものとすることができる。また、例えば、看板５０の付近に看板５０の広告主となる店舗が存在する場合には、当該看板５０のコンテンツデータが表示されている車窓又はディスプレイの方向に当該店舗が存在することを示唆することができる。
【００６９】
また、車両２が位置Ｐ２に移動した場合には、車両２の左側の車窓の視界の範囲が変わり、当該視界の範囲内に含まれる看板５０も変化する。図９では、位置Ｐ２において車両２の左側の車窓の視界の範囲には、看板Ｃが存在している。したがって、例えば、位置Ｐ２の通過時に車両２のデータ通信装置３がセンタサーバ１へ看板情報取得要求を送信した場合、車両２の左側の車窓に対応するディスプレイには看板Ｃのコンテンツデータが表示される。このように、車両２の走行による車窓の視界の範囲の変化とともに車窓に対応するディスプレイに表示される看板５０のコンテンツデータも変化するので、車両２の乗員の興味を引きやすく、看板５０の広告効果を向上させることができる。
【００７０】
＜第２実施形態＞
第２実施形態では、看板５０は近距離無線通信の発信機を備え、車両２は、看板５０の発信信号を受信した場合にセンタサーバ１へ、当該看板５０について看板情報取得要求を送信する。第２実施形態では、第１実施形態と共通する説明については省略される。
【００７１】
図１０は、第２実施形態に係る車両への広告配信システム１００Ｂのシステム構成の一例を示す図である。広告配信システム１００Ｂは、センタサーバ１、車両２、車両２に搭載されるデータ通信装置３、看板５０に加え、看板５０に備えられる発信機４を備える。
【００７２】
発信機４は、例えば、ＢＬＵＥＴＯＯＴＨ（登録商標）、ＢＬＥ、ＷｉＦｉ  Ｄｉｒｅｃｔ等の近距離無線通信の規格に従った信号を発信する発信機である。発信機４の発信信号には、例えば、看板５０の識別情報が含まれている。発信機４とデータ通信装置３の近
距離無線通信部３０５とは、同じ近距離無線通信の規格に従った無線信号を発信又は受信する。
【００７３】
第２実施形態では、データ通信装置３は、看板５０に備えられる発信機４からの発信信号を受信した場合に、センタサーバ１へ看板情報取得要求を送信する。このとき、看板情報取得要求とともに、車両２の識別情報、位置情報、進行方向、発信信号に含まれている看板５０の識別情報もセンタサーバ１へ送信される。
【００７４】
センタサーバ１は、データ通信装置３から看板情報取得要求を受信すると、車両２と看板５０との位置関係を特定し、看板５０のコンテンツデータと、当該看板５０のコンテンツデータを表示させるディスプレイに対応する車窓の識別情報との対応付けを、データ通信装置３へ送信する。データ通信装置３は、受信した看板５０のコンテンツデータを、当該コンテンツデータに識別情報が対応付けられている車窓に対応するディスプレイに表示させる。
【００７５】
すなわち、第２実施形態では、第１実施形態における車窓からの視界の範囲の代わりに、近距離無線通信可能な範囲を用いて、車窓に対応するディスプレイにコンテンツデータを表示させる看板５０を特定する。なお、第２実施形態では、センタサーバ１、車両２、データ通信装置３のハードウェア構成及び機能構成は、第１実施形態と同様である。データ通信装置３から近距離無線通信可能な範囲は、「表示部が設置されている方向の前記車両を中心とした所定範囲」の一例である。
【００７６】
図１１は、第２実施形態に係るセンタサーバ１の車両への看板情報の配信処理のフローチャートの一例である。図１１に示される処理は、例えば、所定の周期で繰り返し実行される。図１１に示される処理の実行主体は、センタサーバ１のＣＰＵ  １０１であるが、便宜上、機能構成要素を主体として説明される。
【００７７】
ＯＰ２０１では、看板特定部１２は、データ通信装置３から看板情報取得要求が受信されたか否かを判定する。データ通信装置３から看板情報取得要求が受信された場合には（ＯＰ２０１：ＹＥＳ）、処理がＯＰ２０２に進む。データ通信装置３から看板情報取得要求が受信されていない場合には（ＯＰ２０１：ＮＯ）、図１１に示される処理が終了する。以下、図１１において、データ通信装置３と称する場合には、看板情報取得要求の送信元であるデータ通信装置３を指し示すこととする。また、以下、図１１において、車両２と称する場合には、看板情報取得要求の送信元のデータ通信装置３を搭載する車両２を指し示すこととする。
【００７８】
ＯＰ２０２では、看板特定部１２は、看板情報取得要求とともに受信された看板５０の識別情報に基づいて、看板情報ＤＢ  １５から、当該看板５０のコンテンツデータを取得する。
【００７９】
ＯＰ２０３では、看板特定部１２は、地図情報ＤＢ  １４に基づいて、看板情報取得要求とともに識別情報が受信された看板５０と車両２との位置関係を特定する。看板５０と車両２との位置関係は、看板５０の位置情報と、車両２の位置情報と、車両２の進行方向とから特定される。これによって、看板５０が車両２の左右のどちら側に位置するのかを特定でき、当該看板５０のコンテンツデータを表示させるディスプレイに対応する車窓を特定することができる。
【００８０】
ＯＰ２０４では、看板特定部１２は、データ通信装置３へ、ＯＰ２０２で取得した看板５０のコンテンツデータと、当該看板５０のコンテンツデータを表示させる車窓の識別情報との対応付けを送信する。その後、図１１に示される処理が終了する。
【００８１】
なお、第２実施形態に係るセンタサーバ１の車両への看板情報の配信処理は、図１１に示される処理に限定されない。例えば、データ通信装置３が複数の看板５０からの発信信号を受信した場合には、当該複数の看板５０の識別情報を看板情報取得要求とともにセンタサーバ１へ送信してもよい。また、センタサーバ１は、データ通信装置３から看板情報取得要求とともに複数の看板５０の識別情報を受信し、当該看板５０が車両２に対して同じ方向に存在している場合には、データ通信装置３へ、１つ又は所定数の看板５０のコンテンツデータを送信してもよい。このとき、各看板の優先度、車両２からの距離等に基づいて、データ通信装置３へコンテンツデータが送信される看板５０が決定されてもよい。
【００８２】
第２実施形態によれば、近距離無線通信の範囲内に存在し、且つ、車窓の向こう側に存在する看板５０のコンテンツデータが車窓に対応するディスプレイに表示されるので、看板５０自体が見づらい場合でも、乗員に当該看板５０のコンテンツデータを視認させることができ、看板の広告効率を向上させることができる。
【００８３】
＜その他の実施形態＞
上記の実施形態はあくまでも一例であって、本発明はその要旨を逸脱しない範囲内で適宜変更して実施しうる。
【００８４】
第１実施形態及び第２実施形態では、データ通信装置３が車両２の位置情報と進行方向とを看板情報取得要求とともにセンタサーバ１へ送信するが、これに限定されない。例えば、データ通信装置３は、所定の周期で、車両２の位置情報をセンタサーバ１に送信し、センタサーバ１は、車両２の位置を監視することで、看板情報取得要求を受信した際の車両２の位置情報及び進行方向を取得してもよい。
【００８５】
また、第１実施形態及び第２実施形態では、車両２の車窓自体又は車窓付近に設置されたディスプレイに看板５０のコンテンツデータを表示させることについて説明されたが、これに限定されない。例えば、車両２の左右前後のいずれかの側面のうち、車窓が設置されていない側面に設置されたディスプレイに看板５０のコンテンツデータを表示させるようにしてもよい。この場合には、センタサーバ１は、車両情報ＤＢ  １６において、各車両２について、各ディスプレイの識別情報と車両２内の設置位置とを保持し、車両２の各ディスプレイから外側の所定の範囲内に存在する看板５０を特定し、特定された看板５０のコンテンツデータと、当該コンテンツデータを表示させるディスプレイの識別情報とをデータ通信装置３へ送信すればよい。また、コンテンツデータを表示させる車両２内のディスプレイは、車両２の前後左右の側面に限定されず、上下の側面を含んでもよい。
【００８６】
本開示において説明した処理や手段は、技術的な矛盾が生じない限りにおいて、自由に組み合わせて実施することができる。
【００８７】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００８８】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録
商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００８９】
１        ：センタサーバ
２        ：車両
３        ：データ通信装置
４        ：発信機
１１      ：送受信部
１２      ：看板特定部
１３      ：送受信部
３１      ：位置情報取得部
３２      ：看板表示制御部
３３      ：送受信部
５０      ：看板
１００    ：広告配信システム
１００Ｂ  ：広告配信システム
１０１    ：プロセッサ
１０２    ：メモリ
１０４    ：外部記憶装置
１０５    ：通信部
【図１】
2020046454.tif 000003
【図２】
2020046454.tif 000004
【図３】
2020046454.tif 000005
【図４】
2020046454.tif 000006
【図５】
2020046454.tif 000007
【図６】
2020046454.tif 000008
【図７】
2020046454.tif 000009
【図８】
2020046454.tif 000010
【図９】
2020046454.tif 000011
【図１０】
2020046454.tif 000012
【図１１】
2020046454.tif 000013